(57)【要約】【課題】本発明は、カメラの撮影方向と内部カバーの切り欠きとの位置合わせが容易なドーム型カメラを提供することを目的とする。【解決手段】シャーシ１３は、カメラ方向を特定する検出マーク１５及び検出部１９と、カバーユニット５と係合する第１係合受け部２１とを有する。カバーユニット５は、シャーシ１３の第１係合受け部２１と係合する第１係合部４１を有するカバー基材２３と、カバー基材２３に取り付けられ、切り欠き部３７を有する不透明な内部カバー部２７と、切り欠き部３７の方向を調整する調整マーク４７及び調整部３９と、カバー基材２３に取り付けられ、カメラ及び内部カバー部２７を覆う透明な外部カバー部２５とを有する。ここで、第１係合受け部２１と第１係合部４１とが係合した状態では、カメラ方向と切り欠き部の方向とが実質的に一致するように形成されているドーム型カメラを提供する。【選択図】      図２
2004356669.tif 000002
【特許請求の範囲】
【請求項１】
カメラが取り付けられたシャーシと、前記シャーシに取り付けられたカバーユニットとを有するドーム型カメラであって、
前記シャーシは、
前記カメラの方向を示すカメラ方向特定部と、
前記カバーユニットと係合する第１係合受け部と、を有し、
前記カバーユニットは、
前記シャーシの第１係合受け部と係合する第１係合部を有するカバー基材と、
前記カバー基材に取り付けられ、切り欠き部を有するドーム状内部カバー部と、
前記切り欠き部の方向を示す切り欠き方向特定部と、
前記カバー基材に取り付けられ、前記カメラ及び前記ドーム状内部カバー部を覆うドーム状外部カバー部と、を有し
前記第１係合受け部と前記第１係合部とが係合した状態では前記カメラ方向特定部が示す前記カメラ方向と前記切り欠き方向特定部が示す前記切り欠き部の方向とが実質的に一致するように、前記カメラ方向特定部と前記切り欠き方向特定部とが形成されている、
ドーム型カメラ。
【請求項２】
前記外部カバー部は、前記カバー基材に対し固定されているか、または前記カバー基材及び前記内部カバー部に対して独立に回転可能に取り付けられている、請求項１に記載のドーム型カメラ。
【請求項３】
前記カメラ方向特定部は、前記カメラの基準方向を示す第１基準部及び前記カメラの基準方向からのずれを示す第１目盛りを有し、
前記切り欠き方向特定部は、前記切り欠き部の基準方向を示す第２基準部及び前記前記切り欠き部の基準方向からのずれを示す第２目盛りを有し、
前記シャーシの第１係合受け部と前記カバー基材の第１係合部とが係合した状態において、前記カメラの基準方向と前記切り欠き部の基準方向とが実質的に一致するように、前記第１基準部及び前記第１目盛りと前記第２基準部及び前記第２目盛りとが形成されており、
前記第１目盛りによる１目盛り分の方向のずれと前記第２目盛りによる１目盛り分の方向のずれとが実質的に一致するように、前記第１目盛り及び前記第２目盛りは形成されている、
請求項１または２に記載のドーム型カメラ。
【請求項４】
前記シャーシは、前記カメラを回転可能に支持する回転台座をさらに有し、
前記内部カバー部はリング状のフランジをさらに有し、
前記カメラ方向特定部の第１目盛りは、前記回転台座の回転中心を中心とする円の円周に沿って設けられており、
前記切り欠き方向特定部の第２目盛りは、前記内部カバー部のフランジに沿って設けられている、
請求項３に記載のドーム型カメラ。
【発明の詳細な説明】
【０００１】
【発明の属する技術分野】
本発明は、天井や壁に取り付けられるドーム型カメラに関する。
【０００２】
【従来の技術】
建造物の天井や壁等に取り付けるドーム型カメラは、撮影を行うためのカメラ、カメラが取り付けられるシャーシ、カメラを覆うための内部カバー及び内部カバーを覆うように設けられた外部カバーを有している。内部カバーは、一部に切り欠きを有しており、通常切り欠きを介して撮影が行われる。
このようなドーム型カメラの設置においては、まずシャーシを天井等に固定する。そして、被写体の位置に応じてカメラの撮影方向やズーム等を調整する。次に、カメラの撮影方向に内部カバーの切り欠きが位置するように外部カバーと内部カバーとをシャーシに取り付ける。
【０００３】
【発明が解決しようとする課題】
しかし、上記のようなドーム型カメラの設置においては、カメラの撮影方向と内部カバーの切り欠きとの位置合わせを設置者が目測で行っている。つまり、被写体の位置に応じて調整したカメラの撮影方向とおぼしき方向に内部カバーの切り欠きが位置するように内部カバーの向きを調整し、外部カバーと内部カバーとをシャーシに取り付けている。よって、外部カバー及び内部カバーをシャーシに取り付けた後に、カメラの撮影方向と内部カバーの切り欠きとの位置が合わない場合がある。その場合には、外部カバーを外し、内部カバーの向きを再調整する必要がある。この作業を切り欠きの位置がカメラの撮影方向と合うまで繰り返さなければならず、設置作業の効率化を妨げている。ドーム型カメラの構造によっては、内部カバーをシャーシから外さなければ再調整できない構造となっている。この場合には、内部カバーの向きの調整はさらに煩雑となる。
【０００４】
そこで、本発明は、カメラの撮影方向と内部カバーの切り欠きとの位置合わせが容易なドーム型カメラを提供することを目的とする。
【０００５】
【課題を解決するための手段】
上記の課題を解決するために、本願第１発明は、カメラが取り付けられたシャーシと、前記シャーシに取り付けられたカバーユニットとを有するドーム型カメラであって、前記シャーシは、前記カメラの方向を示すカメラ方向特定部と、前記カバーユニットと係合する第１係合受け部とを有する。また、前記カバーユニットは、前記シャーシの第１係合受け部と係合する第１係合部を有するカバー基材と、前記カバー基材に取り付けられ、切り欠き部を有するドーム状内部カバー部と、前記切り欠き部の方向を示す切り欠き方向特定部と、前記カバー基材に取り付けられ、前記カメラ及び前記ドーム状内部カバー部を覆うドーム状外部カバー部とを有する。ここで、前記第１係合受け部と前記第１係合部とが係合した状態では前記カメラ方向特定部が示す前記カメラ方向と前記切り欠き方向特定部が示す前記切り欠き部の方向とが実質的に一致するように、前記カメラ方向特定部と前記切り欠き方向特定部とが形成されているドーム型カメラを提供する。
【０００６】
ドーム型カメラを組み立てる際には、カメラ方向特定部が示す方向に切り欠き部の方向を合わせて組み立てを行う。切り欠き部の方向は、切り欠き方向特定部によりカメラ方向に合わせる。よって、カメラの撮影方向と切り欠き部との位置合わせを簡便かつ正確に行いつつ、カメラを組み立てることができる。
本願第２発明は、本願第１発明において、前記外部カバー部は、前記カバー基材に対し固定されているか、または前記カバー基材及び前記内部カバー部に対して独立に回転可能に取り付けられているドーム型カメラを提供する。
【０００７】
外部カバー部が回転しないように、または外部カバー部が内部カバー部及びカバー基材と独立に回転するように設けておけば、カメラ設置後外部カバー部が回転することにより切り欠き部の方向が変えられてしまうことを防止できる。
本願第３発明は、本願第１または第２発明において、前記カメラ方向特定部は、前記カメラの基準方向を示す第１基準部及び前記カメラの基準方向からのずれを示す第１目盛りを有し、前記切り欠き方向特定部は、前記切り欠き部の基準方向を示す第２基準部及び前記切り欠き部の基準方向からのずれを示す第２目盛りを有し、前記シャーシの第１係合受け部と前記カバー基材の第１係合部とが係合した状態において、前記カメラの基準方向と前記切り欠き部の基準方向とが実質的に一致するように、前記第１基準部及び前記第１目盛りと前記第２基準部及び前記第２目盛りとが形成されており、前記第１目盛りによる１目盛り分の方向のずれと前記第２目盛りによる１目盛り分の方向のずれとが実質的に一致するように、前記第１目盛り及び前記第２目盛りは形成されているドーム型カメラを提供する。
【０００８】
カメラ方向特定部の第１目盛りと切り欠き方向特定部の第２目盛りとが実質的に同一の目盛りを有することで、カメラの撮影方向と切り欠き部との位置合わせを簡便かつ正確に行うことができる。
本願第４発明は、本願第３発明において、前記シャーシは、前記カメラを回転可能に支持する回転台座をさらに有し、前記内部カバー部はリング状のフランジをさらに有し、前記カメラ方向特定部の第１目盛りは、前記回転台座の回転中心を中心とする円の円周に沿って設けられており、前記切り欠き方向特定部の第２目盛りは、前記内部カバー部のフランジに沿って設けられているドーム型カメラを提供する。
【０００９】
シャーシに設けられたカメラを回転する回転台座と、その回転中心の中心に沿って設けられた第１目盛りによりカメラ方向を簡便かつ正確に特定することができる。また、切り欠き方向を特定する第２目盛りが内部カバー部のフランジに沿って設けられているため、例えばフランジにより内部カバー部をカバーユニットに係支しつつ、切り欠き方向を簡便かつ正確に調整することができる。
【００１０】
【発明の実施の形態】
＜第１実施形態例＞
図１は、第１実施形態例に係るドーム型カメラの全体図、図２（ａ）は図１のカメラユニットの斜視図、図２（ｂ）は図１のカバーユニットの斜視図、図３は、カメラユニット内の検出マークを示す説明図、図４は図１のカバーユニットの分解図、図５（ａ）〜（ｃ）は図１のカバーユニットの係合状態を示す断面図または拡大図、図６（ａ）は図１のカメラユニット側の平面図、図６（ｂ）は図１のカバーユニット側の平面図である。以下に、第１実施形態例のドーム型カメラ１の構成を説明する。
［構成］
第１実施形態例に係るドーム型カメラ１は、図２に示すように撮影を行うためのカメラユニット３及びカメラユニット３を覆うためのカバーユニット５を有している。カメラユニット３は、カメラ７、カメラ土台９、カメラ取付部１１及びシャーシ１３を有している。カメラ７はカメラ土台９に固定されている。カメラ土台９は、カメラ取付部１１に取り付けられている。カメラ取付部１１は、シャーシ１３平面に対して回転可能で、かつシャーシ１３平面に対するカメラ７の撮影方向の傾き（以下、カメラ７の首振り方向という）を調整可能なようにシャーシ１３に取り付けられている。また、カメラ取付部１１には、図２及び図３に示すように、シャーシ１３平面に沿うカメラ７の回転撮影方向（以下、カメラ７の回転方向という）を検出する基準となる検出マーク１５が設けられている。このように取り付けられたカメラ７、カメラ土台９及びカメラ取付部１１の首振り方向傾き及び回転方向を調整することにより所望の撮影方向を撮影できる。またシャーシ１３は、カメラ７のシャーシ１３平面における回転対する撮影方向を検出するための検出部１９及びカバーユニット５をカメラユニット３に係合するための第１係合受け部２１ａ、２１ｂ（第１係合受け部２１）を有している。この検出部１９と検出マーク１５とによりカメラの回転方向を特定する。検出部１９は、例えば図６（ａ）に示すようにカメラ取付部１１の回転中心を中心とする円周に沿うようにシャーシ１３にふられた第１目盛りからなる。検出部１９が目盛りであると、カメラの回転方向を簡便かつ正確に特定することができる。第１目盛りは、例えば３６０度の範囲に設けられている。
【００１１】
カバーユニット５は、図４に示すようにカメラユニット３に取り付けられるカバー基材２３、カメラユニット３を覆うドーム状の外部カバー部２５及び外部カバー部２５の内側に位置するドーム状の内部カバー部２７を有している。外部カバー部２５は、カメラユニット３を覆う中空の外部ドーム部２９と、外部ドーム部２９の縁に形成された、例えばフランジから形成される第１止め部３１とから構成されている。この外部カバー部２５は、後述の内部カバー部２７の切り欠き部３７からのゴミ等の侵入を防止し、カメラ７等のカメラユニット３の性能低下を防止する。
【００１２】
一方、内部カバー部２７は、カメラユニット３を覆う中空の内部ドーム部３３と、内部ドーム部３３の縁に形成された、例えばフランジから形成される第２止め部３５とから構成されている。内部ドーム部３３の側面の一部には、切り欠き部３７が形成されている。通常、この切り欠き部３７を介してカメラ７により被写体を撮影する構成となっている。内部カバー部２７は、シャーシ１３平面に沿う面内での切り欠き部３７の方向（以下、切り欠き部２７の回転方向という）を特定・調整する調整部３９を有している。調整部３９は、切り欠き部３７の回転方向を特定・調整可能であれば、その場所や形状等は限定されないが、例えば図２（ｂ）に示すようにフランジからなる第２止め部３５にふられた第２目盛りからなると好ましい。フランジからなる第２止め部３５により後述のように内部カバー部２７をカバー基材２３に係合しつつ、切り欠き部３７の回転方向を調整できる。第２目盛りは、例えば３６０度の範囲に設けられている。内部カバー部２７は、切り欠き部３７の回転方向の調整をカバー基材２３に対して可能なように、カバー基材２３に対して独立に回転可能である。
【００１３】
上記外部カバー部２５及び内部カバー部２７は、外部カバー部２５の内側に沿うように内部カバー部２７を組み合わせた場合、内側からはカメラ撮影が可能であり、かつ外側からは内部カバー部２７の内部を視認できないように形成されている。つまり、内部カバー部２７の内側から内部カバー部２７及び外部カバー部２５を介してカメラユニット３によりカメラ撮影が可能であり、かつ外部カバー部２５の外側から外部カバー部２５及び内部カバー部２７を介して内部カバー部２７の内部を切り欠き部３７以外からは視認できない。よって、カメラユニット３によりカメラ撮影が行われていることや、カメラ撮影が行われている方向を外部から把握しにくい構成となっている。
【００１４】
このような外部カバー部２５は、例えば透明なプラスチック等の透明材料から形成されている。また、外部カバー部２５は、カメラユニット３を覆う側から外部カバー部２５外側の被写体のカメラ撮影は可能であるが、外部カバー部２５の外側から内部カバー部２７内部を視認できないようにハーフミラー加工されていても良い。一方、内部カバー部２７は、カメラユニット３が外側から視認できないように、例えば不透明材料から形成されている。このとき、内部カバー部２７に設けられた切り欠き部３７は、不透明材料が一部除去されて形成されている。また、切り欠き部３７は、不透明材料が一部除去され、カメラ撮影が可能な透明材料で形成されていても良い。さらに、内部カバー部２７は、前述のようにハーフミラー加工されていても良い。上記のような外部カバー部２５及び内部カバー部２７の材料の組み合わせとしては、例えば外部カバー部２５が透明材料で形成されている場合には、内部カバー部２７が不透明材料から形成され、不透明材料の一部が除去された切り欠き部３７を有するように形成されている。また、外部カバー部２５がハーフミラー加工されている場合は、内部カバー部２７は透明材料、不透明材料等で形成されている。
【００１５】
カバー基材２３は、図２及び図５に示すように第１係合部４１ａ、４１ｂ（第１係合部４１）、第１止め受け部４３、第２止め受け部４５ａ、４５ｂ（第２止め受け部４５）及び切り欠き部３７の位置を特定・調整する基準となる調整マーク４７を有している。調整マーク４７は、内部カバー部２７の調整部３９と組み合わせて切り欠き部３７の位置を特定・調整するのに用いられる。カバー基材２３への外部カバー部２５及び内部カバー部２７の係支は次のように行われる。図５（ｂ）に示すように外部カバー部２５の第１止め部３１が、第１止め受け部４３により支持されることにより外部カバー部２５とカバー基材２３とが係合される。また、図５（ｃ）に示すように内部カバー部２７の第２止め部３５の端面のカバー基材２３に対する位置が、第２止め受け部４５により規制される。このとき、第２止め部３５は、外部カバー部２５の第１止め部３１と第２止め受け部４５との間に位置するため、内部カバー部２７は、第１止め部３１を介して間接的に第１止め受け部４３に支持される。このように互いに係合されたカバー基材２３、外部カバー部２５及び内部カバー部２７からなるカバーユニット５を、カメラ７及びカメラ土台９を覆うようにカメラユニット３に取り付ける。
【００１６】
外部カバー部２５がカバー基材２３に対して固定されているか、または外部カバー部２５がカバー基材２３及び内部カバー部２７に対して独立に回転可能に取り付けられていると好ましい。前述のように設けておけば、カメラ設置後に外部カバー部２５が回転することにより切り欠き部３７の回転方向が変わる移動することを防止できる。例えば、不透明材料から形成された内部ドーム部３３の切り欠き部３７の回転方向が、設置されたドーム型カメラ１の回転撮影方向と沿う方向に固定されている場合、外部から外部カバー部２５に外力を加えても外部カバー部２５が移動しないため内部カバー部２７が移動しないか、あるいは外部カバー部２５が移動しても内部カバー部２７は移動しない。よって、カメラ撮影を行うための切り欠き部３７の回転方向とカメラユニット３のカメラの回転方向とが一致した状態であるため、カメラの撮影が妨害されない。
【００１７】
カバーユニット５とカメラユニット３とは、カバー基材２３の第１係合部４１ａ及び４１ｂがそれぞれシャーシ１３の第１係合受け部２１ａ及び２１ｂに係合することで互いに所定位置に固定され、ドーム型カメラ１が完成する。このとき、検出部１９により検出されたカメラの回転方向に基づいて調整部３９により切り欠き部３７の回転方向位置を特定・調整した後に、カバーユニット５とカメラユニット３とを固定すると、カメラの回転方向と切り欠き部３７の回転方向とが実質的に一致する。
【００１８】
カメラユニット３の検出部１９が第１目盛りで、内部カバー部２７の調整部３９が第２目盛りである場合は、第１目盛り１９及び第２目盛り３９両者は次のように構成されている。カバーユニット５とカメラユニット３とを所定の位置関係で組み合わせた状態において、第１目盛りによる１目盛り分の方向のずれと第２目盛りによる１目盛り分の方向のずれとが実質的に一致するように第１目盛り及び第２目盛りが形成されている。このとき、カメラユニット３とカバーユニット５とを組み合わせた状態では、カメラの基準方向と切り欠き部３７の基準方向とが実質的に一致する様に、検出マーク１５及び第１目盛り１９と、調整マーク４７及び第２目盛り３９とが形成されている。また、第１目盛り１９による１目盛り分のカメラの回転方向のずれと第２目盛り３９による１目盛り分の切り欠き部３７の回転方向のずれとが実質的に一致するように、第１目盛り１９及び第２目盛り３９が形成されている。ここで、カメラの基準方向とは、検出マーク１５を第１目盛り１９の基準目盛りに合わせたときのカメラの回転方向である。第１目盛り１９の基準目盛りは、この例では“０”である（例えば図３参照）。切り欠き部３７の基準方向とは、第２目盛り３９の基準目盛りを調整マーク４７に合わせたときの切り欠き部３７の回転方向である。第２目盛り３９の基準目盛りは、この例では“０“である（例えば図６（ｂ）参照）。両者の検出マーク１５と調整マーク４７とが実質的に一致する。カバーユニット５とカメラユニット３との所定の位置関係とは、両者を組み合わせた状態で前記カメラの基準方向と切り欠き部３７の基準方向とが一致する様に、カバーユニット５の第１係合部４１とカメラユニット３の第１係合受け部２１とを係合させた場合の位置関係を言う。
【００１９】
切り欠き部３７の回転方向を調整する場合には、まずそして、カメラ方向を特定する基準となる検出マーク１５の基準方向（第１目盛り“０“）に対するからのカメラ方向のずれを第１目盛り１９で特定する。ついで、第２目盛り３９を回転させ、し、カメラの回転方向に応じた目盛りにて調整マーク４７を合わせることにより、調整マーク４７の基準方向（第２目盛り“０”）に対する切り欠き部３７の回転方向を特定する。次いで、カメラユニット３とカバーユニット５とを所定の位置関係を保つ様に組み合わせることにより、からの切り欠き部３７のずれを第２目盛りで特定・調整する。このように対応づけられた第１目盛り及び第２目盛りによりカメラの回転撮影方向と切り欠き部３７の回転方向とを調整することで、位置合わせを簡便かつ正確に合わせる行うことができる。
【００２０】
上記の構成は一例にすぎず、シャーシ１３の第１係合受け部２１及びカバー基材２３の第１係合部４１は、カメラユニット３とカバーユニット５とが係合される構造であれば良く、形状、位置及び個数などは上記に限定されない。同様に、第１止め部３１及び第２止め部３５は、第１止め受け部４３及び第２止め受け部４５に係支される構造であればフランジである必要はなく、また形状、位置及び個数なども上記に限定されない。
また、検出部１９及び調整部３９は目盛りである必要はなく、カメラの回転撮影方向と切り欠き部３７の回転方向とを合わせるとの位置あわせができることができる構成であれば良い。また、検出部１９及び調整部３９が設けられる位置は、回転方向の調整位置あわせが可能であれば上記のカメラ取付部１１に限定されず、設けられる範囲等の構成も限定されない。
［調整方法］
次に、カメラ７による撮影方向と内部カバー部２７の切り欠き部３７との位置方向との調整の方法について図６を用いて説明する。
【００２１】
カメラユニット３のシャーシ１３に設けられた検出部１９によりカメラ７のシャーシ１７平面に対する回転撮影方向を検出する。回転撮影方向は、例えばカメラ７が固定されているカメラ取付部１１に設けられた検出マーク１５が指し示した検出部１９の第１目盛りにより検出する。次に、外部カバー部２５及び内部カバー部２７が取り付けられたカバー基材２３に対して、内部カバー部２７の切り欠き部３７の位置を調整する。つまり、検出部１９の検出結果に応じて内部カバー部２７をカバー基材２３に対して移動し、切り欠き部３７の回転方向を調整する。そして、外部カバー部２５及び内部カバー部２７が取り付けられたカバー基材２３をカメラユニット３に取り付ける。このとき、検出マーク１５及び検出部１９と調整マーク４７及び調整部３９とを用いて調整することで、カメラの回転方向及び首振り方向の組み合わせにより定まる撮影方向と切り欠き部３７の位置方向とをが実質的に一致させる。するように形成されているため、正確かつ容易に位置合わせを行うことができる。
【００２２】
具体的に例えば、検出部１９が第１目盛りで、調整部３９が第２目盛りである場合の調整方法を以下に説明する。図６（ａ）に示すように、カメラユニット３において、カメラ取付部１１の図中「α」に図３に示す検出マーク１５が付されているとする。カメラのシャーシ１３平面に沿う回転方向と切り欠き部３７の回転方向とを、次の様に調整する。例えばここで、カメラ取付部１１の「α」に設けられた検出マーク１５が第１目盛り１９上の目盛り“２０”に位置していたとする。によりカメラ７の撮影方向が、検出部１９の第１目盛りの“２０”であると検出されたとする。カメラユニット３にカバーユニット５を取り付ける際に、調整マーク４７が指し示す調整部３９の第２目盛り３９が、検出部１９の第１目盛り１９と同じ“２０”となるように、内部カバー部２７をカバー基材２３に対して回転させる移動する。そして、カバー基材２３の第１係合部４１をシャーシ１３の第１係合受け部２１に係合し、カバーユニット５とカメラユニット３とを所定位置に固定する。
【００２３】
このとき、カメラのシャーシ１３平面に対する首振り方向に応じ、カメラの撮影方向に切り欠き部３７が位置する様、カバーユニット５とカメラユニット３との位置関係を調整する。カメラ７は、のシャーシ１３平面に対する撮影方向の角度は、カメラ取付部１１の中心を通る図６（ａ）中の一点鎖線（以下、回転中心線という）を中心とし、シャーシ１３平面と交差する方向にて首を振る回転するように調整される。よって、図６（ｂ）に示すように、内部カバー部２７の切り欠き部３７は、カメラ７の首振り方向撮影方向にある程度の対応長さを有する様にして、検出部１９により検出されたカメラの撮影を可能とする方向に形成されている。この例では、切り欠き部３７は、約０〜９０度の範囲の首振り方向に対応する長さに形成されている。このとき、カメラ７の回転撮影方向が目盛り“２０“であり、かつカメラ７の首振り方向が回転中心線カメラ取付部１１に対して図６（ａ）中矢印方向側である場合、内部カバー部２７に対して図６（ｂ）に示す回転方向に調整設けられたされた切り欠き部３７の位置をとカメラ７の撮影方向にとを一致させるため、シャーシ１３の第１係合受け部２１ａをカバー基材２３の第１係合部４１ａに、第１係合受け部２１ｂを第１係合部４１ｂに係合するようにカバーユニット５をカメラユニット３に取り付ける。一方、カメラ７の首振り方向が図６（ａ）中矢印方向と逆方向側がカメラ７の撮影方向である場合、シャーシ１３の第１係合受け部２１ａをカバー基材２３の第１係合部４１ｂに、第１係合受け部２１ｂを第１係合部４１ａに係合する。
【００２４】
このように検出部１９と調整部３９との目盛りの値を揃え、カバーユニット５とカメラユニット３とを所定位置に固定すると、カメラの撮影方向にと切り欠き部３７がとの位置するが実質的に揃う。よって、カメラの撮影方向と切り欠き部３７との位置とを合わせを簡便かつ正確に調整行いしつつ、カメラを組み立てることができる。そのため、再度の位置合わせを行う必要がない。また、上述のドーム型カメラ１では、外部カバー部２５及び内部カバー部２７が取り付けられたカバー基材２３をカメラユニット３に取り付けるため、ドーム型カメラ１の設置作業が容易である。
【００２５】
なお、カバー基材２３は必ず設ける必要はなく、外部カバー部２５と内部カバー部２７とが係合された状態でシャーシ１３に取り付けられる構造となっていれば良い。また、切り欠き部３７の長さを、０〜１８０度の範囲の首振り方向に対応する様に形成すれば、カメラユニット３とカバーユニット５との位置関係が１８０度反転したいずれの位置で取り付けても構わない。
＜第２実施形態例＞
図７（ａ）は第２実施形態例のドーム型カメラのカメラユニットの平面図、図７（ｂ）はカバーユニットの平面図である。図７（ｂ）に示すように、第２実施形態例のドーム型カメラ１は、内部カバー部２７の第２止め部３５に、第２止め部３５から突出するように設けられた第１係止部５０ａ、５０ｂ（第１係止部５０）を有している。また、調整部３９の第２目盛りは、内部カバー部２７が回転可能な範囲の一側に設けられている。その他の構成は、前記第１実施形態例に記載のドーム型カメラ１と同様である。
【００２６】
上記図７のドーム型カメラ１においては、図８に示すように第２止め部３５から突出して設けられた第１係止部５０はカバー基材２３の第２止め受け部４５により係止される。つまり第２止め受け部４５は第１係止部５０により第２止め部３５の回転を阻みつつ、外部カバー部２５及び内部カバー部２７をカバー基材２３に係合する。このように第１係止部５０と第２止め受け部４５とにより内部カバー部２７の回転が抑制される。このとき、図７に示す第１係止部５０は、内部カバー部２７の回転方向に約１８０°離れて設けられているため、内部カバー部２７のカバー基材２３に対する回転は約１８０°に抑制される。そのため、必要とされる調整部３９の目盛りは、約１８０°分で足り、図７（ｂ）に示すように例えば２つの第１係止部５０ａ及び５０ｂ間の一側に設けられている。また、検出部１９の目盛りは、図７（ａ）に示すように調整部３９の目盛りに対応するように約１８０°の範囲の一側に設けられている。検出部１９と調整部３９とにより約１８０°の範囲でカメラ７の回転撮影方向と内部カバー部２７の切り欠き部３７の回転方向との方向調整を行った後、シャーシ１３の所定位置にカバーユニット５を取り付け、カメラの撮影方向と切り欠き部３７の位置方向とを揃える。よって、内部カバー部２７の回転範囲を小さくすることができる。
【００２７】
このとき、図７（ａ）に示すように例えばカメラ取付部１１の「α」に設けられた検出マーク１５により、カメラ７の回転撮影方向が、検出部１９の第１目盛りの“４”であると検出されたとする。そこで、調整マーク４７が指し示す調整部３９の第２目盛りが、検出部１９の第１目盛りと同じ“４”となるように内部カバー部２７をカバー基材２３に対して移動し、カバーユニット５をカメラユニット３に取り付ける。ここで、カメラ７の首振り撮影方向が図７（ａ）中一点鎖線である回転中心線カメラ取付部１１に対して図７（ａ）中の矢印Ｃ方向側である場合、内部カバー部２７に対して図７（ｂ）に示す方向に設けられた切り欠き部３７の位置とカメラ７の撮影方向とを一致させるため、シャーシ１３の第１係合受け部２１ａをカバー基材２３の第１係合部４１ａに、第１係合受け部２１ｂを第１係合部４１ｂに係合するようにカバーユニット５をカメラユニット３に取り付ける。一方、カメラ７の首振り撮影方向が回転中心線に対して図７（ａ）中矢印Ｃと逆の矢印Ｄ方向側である場合、シャーシ１３の第１係合受け部２１ａをカバー基材２３の第１係合部４１ｂに、第１係合受け部２１ｂを第１係合部４１ａに係合する。
【００２８】
このとき、カメラ取付部１１の回転範囲が、検出部１９の目盛りが設けられた約１８０°の範囲に限定されるように構成されていても良い。カメラ取付部１１の回転範囲を１８０°に制限しても、カメラ取付部１１を傾斜させてカメラ７を首振りさせることで３６０°の範囲でカメラ撮影は可能である。なお、上述の例は、切り欠き部３７がカメラ７の首振り方向の０〜９０度に対応して形成されている場合である。切り欠き部３７がカメラ７の首振り方向の０〜１８０度に対応した長さに形成されている場合は、カバーユニット５とカメラユニット３との位置関係が１８０度反転するいずれの位置関係で両者を組み合わせても構わない。
【００２９】
また、図７（ａ）に示すように、検出マーク１５をカメラ取付部１１のもう一方の「α’」にも設け、検出マークを２カ所設けるようにしても良い。
図９は、内部カバー部２７の回転範囲がさらに小さく形成されたドーム型カメラである。図１０（ａ）は第２実施形態例の別のドーム型カメラのカメラユニットの平面図、図１０（ｂ）はカバーユニットの平面図である。図９及び図１０に示すように、ドーム型カメラは、内部カバー部２７のカバー基材２３に対する回転をさらに抑制するために、図７の第１係止部５０の数を増加している。例えば、図１０に示すように４カ所の第２係止部６０ａ〜６０ｄ（第２係止部６０）が設けられている。
【００３０】
カバー基材２３には、第１係合部４１としてさらに第１係合部４１ｃ及び４１ｄが設けられている。第１係合部４１ｃ及び４１ｄは、第１係合部４１ａ及び４１ｃの中間に設けられている。一方、シャーシ１３には、第１係合受け部２１ｃ及び２１ｄが、第１係合受け部２１ａ及び２１ｂの中間にさらに設けられている。
また、第２実施形態例のドーム型カメラでは、図９及び図１０に示すように、カメラ取付部１１が円形状に形成され、シャーシ１３に平面に対して回転するように取り付けられている。この円形状のカメラ取付部１１の縁には、９０°間隔で検出マーク１５が４カ所設けられている。その他の構成は、前記図７に記載のドーム型カメラ１と同様である。
【００３１】
図１０に示すように、第２係止部６０は、内部カバー部２７の回転方向に約９０°ずつ離れて設けられているため、内部カバー部２７のカバー基材２３に対する回転は約９０°に抑制される。そのため、必要とされる調整部３９の目盛りは、約９０°分で足り、図１０（ｂ）に示すように例えば４つの第２係止部６０ａ〜６０ｄ間の１つに設けられている。また、検出部１９の第１目盛りは、図１０（ａ）に示すように調整部３９の第２目盛りに対応するように約９０°の範囲の１つに設けられている。検出部１９と調整部３９とにより約９０°の範囲でカメラ７の回転撮影方向と内部カバー部２７の切り欠き部３７の回転方向との方向調整を行った後、シャーシ１３の所定位置にカバーユニット５を取り付け、カメラの首振り方向及びカメラの回転方向の組み合わせで決まるカメラの撮影方向と切り欠き部３７の位置方向とを揃える。よって、内部カバー部２７の回転範囲をさらに小さくすることができる。
【００３２】
ここで、検出されたカメラ７の撮影方向に応じて、カバーユニット５をカメラユニット３に取り付ける。カバーユニット５とカメラユニット３との係合方法は、カメラ７の撮影方向に合わせて以下の４通りがある。
（１）シャーシ１３の第１係合受け部２１ａをカバー基材２３の第１係合部４１ａに、第１係合受け部２１ｂを第１係合部４１ｂに、第１係合受け部２１ｃを第１係合部４１ｃに、第１係合受け部２１ｄを第１係合部４１ｄに係合する。
（２）シャーシ１３の第１係合受け部２１ａをカバー基材２３の第１係合部４１ｄに、第１係合受け部２１ｂを第１係合部４１ａに、第１係合受け部２１ｃを第１係合部４１ｂに、第１係合受け部２１ｄを第１係合部４１ｃに係合する。
（３）シャーシ１３の第１係合受け部２１ａをカバー基材２３の第１係合部４１ｃに、第１係合受け部２１ｂを第１係合部４１ｄに、第１係合受け部２１ｃを第１係合部４１ａに、第１係合受け部２１ｄを第１係合部４１ｂに係合する。
（４）シャーシ１３の第１係合受け部２１ａをカバー基材２３の第１係合部４１ｂに、第１係合受け部２１ｂを第１係合部４１ｃに、第１係合受け部２１ｃを第１係合部４１ｄに、第１係合受け部２１ｄを第１係合部４１ａに係合する。
【００３３】
以上のような方法により、カメラユニット３とカバーユニット５とを係合し、カメラの撮影方向と切り欠き部３７との方向を一致させる。
上記では、第１係止部５０及び第２係止部６０が第２止め受け部４５により係止される構成となっているが、第１係止部５０及び第２係止部６０を係止するための別途の係止受け部を設けるようにしても良い。
【００３４】
【発明の効果】
本発明を用いれば、カメラの撮影方向と内部カバーの切り欠きとの位置合わせが容易なドーム型カメラを提供することができる。
【図面の簡単な説明】
【図１】第１実施形態例に係るドーム型カメラの全体図。
【図２】（ａ）図１のカメラユニットの斜視図。
（ｂ）図１のカバーユニットの斜視図。
【図３】カメラユニット内の検出マークを示す説明図。
【図４】図１のカバーユニットの分解図。
【図５】（ａ）図１のカバーユニットの係合状態を示す断面図。
（ｂ）図１のカバーユニットの係合状態を示す拡大図（１）。
（ｃ）図１のカバーユニットの係合状態を示す拡大図（２）。
【図６】（ａ）図１のカメラユニット側の平面図。
（ｂ）図１のカバーユニット側の平面図。
【図７】（ａ）第２実施形態例のドーム型カメラのカメラユニットの平面図。
（ｂ）カバーユニットの平面図。
【図８】内部カバー部の係止状態を示す拡大図。
【図９】第２実施形態例の別のドーム型カメラのカメラユニットの斜視図。
【図１０】（ａ）その他のドーム型カメラのカメラユニットの平面図。
（ｂ）カバーユニットの平面図。
【符号の説明】
１：ドーム型カメラ
３：カメラユニット
５：カバーユニット
７：カメラ
９：カメラ土台
１１：カメラ取付部
１３：シャーシ
１５：検出マーク
１９：検出部
２１：第１係合受け部
２３：カバー基材
２５：外部カバー部
２７：内部カバー部
３１：第１止め部
３５：第２止め部
３７：切り欠き部
３９：調整部
４１：第１係合部
４３：第１止め受け部
４５：第２止め受け部
４７：調整マーク
５０：第１係止部
６０：第２係止部
【図１】
2004356669.tif 000003
【図２】
2004356669.tif 000004
【図３】
2004356669.tif 000005
【図４】
2004356669.tif 000006
【図５】
2004356669.tif 000007
【図６】
2004356669.tif 000008
【図７】
2004356669.tif 000009
【図８】
2004356669.tif 000010
【図９】
2004356669.tif 000011
【図１０】
2004356669.tif 000012